(57)【要約】【課題】アンテナ仰角設定部をアンテナ取付け具全体に分散配置することで、外力に強いＵＨＦ多素子アンテナの仰角設定取付け装置を実現すること。【解決手段】支柱１の上部に平面ほぼＵ字状の上スティ２をその中央取着部２Ａで左右回動調節可能に取着し、この上スティ２の左右各先端部２Ｂに四角い縦枠３をその左右各ヒンジ部３Ａで起伏回動調節可能に取着すると共に、この縦枠３の四隅付近に前記各アンテナＡを一本ずつ取付ける一方、前記縦枠３の下辺３Ｂに通した締着バンド４を下スティ５の上部５Ａに取着し、この下スティ５の下部５Ｂを支柱１に取着した締付けバンド７に取着し、前記各取着部分を緩めた仮取着状態で前記縦枠３を縦横斜めに回動させて前記各アンテナＡを四本纏めて前記高所の電波発射源に向けて仰角設定した後、前記緩めた各取着部分を締着することで、各アンテナＡの上記設定済仰角を四本纏めて固定可能となした。【選択図】      図１
2005064602.tif 000002
【特許請求の範囲】
【請求項１】
ほぼ鉛直の支柱に平面ほぼＵ字状の上スティをその中央取着部で左右回動調節可能に取着し、この上スティの左右各先端部に四角い縦枠をその左右各ヒンジ部で起伏回動調節可能に取着すると共に、この縦枠の四隅付近にＵＨＦ多素子アンテナを取付ける一方、前記縦枠の下辺に通した締着バンドを下スティの上部に取着し、この下スティの下部を支柱に取着した締付けバンドに取着して前記各取着部分を緩めた各取着部の仮取着状態で前記縦枠を左右各ヒンジ部と前記上スティ取着部とをそれぞれ支点として縦横斜めに回動させることで、前記各アンテナを四本纏めて前記高所の電波発射源に向けて仰角設定した後、前記緩めた各取着部分をそれぞれ締着することで、上記各アンテナの設定済仰角を四本纏めて固定可能となしたＵＨＦ多素子アンテナの仰角設定取付け装置。
【請求項２】
ほぼ鉛直に立設した支柱１に四本のＵＨＦ多素子アンテナＡを高所の電波発射源に向けて取付けるに当たり、平面ほぼＵ字状の上スティ２をその中央取着部２Ａで強靱な枢着板１Ａに強固に固着し、この枢着板１Ａを前記支柱１の上部にＵ字ボルトＵと締付けナットＮとで左右回動調節可能に取着すると共に、前記上スティ２の左右各先端部２Ｂに四角い縦枠３をその左右各ヒンジ部３Ａで起伏回動調節可能に取着し、この縦枠３の四隅付近に前記各アンテナＡを同一方向に向けて一本ずつ取付ける一方、前記縦枠３の下辺３Ｂの左右に通した二つの締着バンド４にそれぞれ縦枠下辺３Ｂを支える二本の下スティ５の上部５Ａを連結しすると共に締着バンド４を縦枠下辺３Ｂに締着し、これら下スティ５の下部５Ｂを前記支柱１の下部に締付けボルト６で固定した締付けバンド７にボルトＢとナットＮとで平面ほぼＶ字状に取着することで、ＵＨＦ多素子アンテナの支柱取付け装置を構成し、前記各ナット類と前記二つのバンド４・７を緩めた各取着部の仮取着状態で、前記縦枠３をその左右ヒンジ部３Ａと前記枢着板１Ａとをそれぞれ支点として縦横斜めに回動させることで、前記各アンテナＡを同時に四本纏めて前記高所の電波発射源に向けて仰角設定した後、前記緩めたナット類と二つのバンド類とをそれぞれ締着することで、各アンテナＡの設定済仰角を四本纏めて固定可能となしたＵＨＦ多素子アンテナの仰角設定取付け装置。
【請求項３】
前記支柱１に電波発射源の反対側に向けて上スティ２を縦枠３と共に突設し、この縦枠３の四隅付近にそれぞれ四本のＵＨＦ多素子アンテナＡを電波発射源に向けて突設固定することで、前記四本のアンテナＡの中間空所内に支柱１を配置し、全体としての重心を支柱１の上部付近に集中させた請求項１または請求項２に記載のＵＨＦ多素子アンテナの仰角設定取付け装置。
【請求項４】
前記上スティ２をパイプ材で作り、その左右各先端部２Ｂを押し潰して二枚合わせの重合先端部２Ｃとなし、この重合先端部２Ｃに縦枠３をその左右各ヒンジ部３Ａで起伏回動調節可能に取着してなる請求項１から請求項４までに記載のＵＨＦ多素子アンテナの仰角設定取付け装置。
【発明の詳細な説明】
【０００１】
【発明の属する技術分野】
本発明は、電波共聴設備受信用アンテナなど四本のＵＨＦ多素子アンテナを地上波デジタルテレビ放送アンテナなど高所の電波発射源に精確に向けて設置する際に用いて好適なＵＨＦ多素子アンテナの仰角設定取付け装置に関する。
【０００２】
【従来の技術】
通信用アンテナの仰角を設定して支柱やベランダに取付ける装置としては従来、特開平７−２２６６２１号公報・特開２００１−２９８３１０号公報および，特開２００３−４６３１０号公報に記載のものが周知であるが、これらの従来例は、いずれも放送衛星や通信衛星からの電波を受信するためのパラボラアンテナを仰角設定して支柱やベランダに取付けるためのアンテナ取付け装置である。
【０００３】
【発明が解決しようとする課題】
上記従来例は、パラボラアンテナの仰角設定取付け装置であり、複数のアンテナ取付け具における板状部同士の接面部分を角度変更可能にねじ止めしてパラボラアンテナの受信反射面を上記放送衛星や通信衛星に向くように仰角設定するものであり、具体的には上記各アンテナ取付け装置の板状部同士を接面し、一方の板状部に形成した長孔の縁辺を他方の板状部にねじ止めすることで、パラボラアンテナの仰角を固定するものだから、この仰角固定部分の強度が接面方向の外力に対し弱くて動き易い上に、アンテナ仰角設定部分が取付け装置の板状部に局所集中しているため、テコの原理に基づき長尺物支持に対して弱く、四本のＵＨＦ多素子アンテナの仰角設定取付け装置としては強度不足のため採用できない。
【０００４】
すなわち、地上波テレビ放送電波の影となる地域には、現在、山上サテライト局の中継アンテナから周波数変換したＵＨＦ帯域の中継電波を発射することで、良質な受信状態を得ているが、地上波テレビ放送電波の影となる地域は一般に豪雪地帯が多く、冬場になるとＵＨＦ多素子アンテナへの着雪量も多くなり、四本の多素子アンテナ全体の荷重としては、２０キログラム以上の大重量となる場合も有るし、四本のＵＨＦ多素子アンテナは、季節を通して強風時には一つのパラボラアンテナよりも揺動し易いため、これら四本の多素子アンテナを前記従来例のものに無理に搭載した場合、上記大きなアンテナ荷重や強風で揺動する四本のアンテナからの無理な外力が、それぞれ従来取付け装置の板状部や局部集中したアンテナ仰角固定部分に、テコの原理により継続的に繰り返し強く加わるため、上記板状部が繰り返し撓んだり、上記アンテナ仰角固定接面ねじ止め部分が互いにずれ動いたりして受信状態が極めて不安定となると共に、ＵＨＦ多素子アンテナの仰角やアンテナ水平向きが大きく変化して受信障害が生じたり、時には、アンテナ仰角固定部分や取付け金具全体が破損してＵＨＦ多素子アンテナが倒れてしまい使い物にならなくなるという本質的かつ、大きな問題点が有る。
【０００５】
これら従来例のほかに、複数のＵＨＦ多素子アンテナを支柱に対し、同方向に向けてＶＨＦアンテナと共に水平に突設したり、水平・垂直スタック接続した四本のＵＨＦ多素子アンテナＡを試行錯誤的に一本ずつ個別に高所の電波発射源に向け仰角設定して支柱に取付けて使用した試しも有るが、この場合には、四本のＵＨＦ多素子アンテナＡの上記仰角設定作業を一本ずつ個別に実行しなければならず、各アンテナ仰角の設定作業が著しく煩雑かつ、面倒であるため、一般的には、この種多素子アンテナの垂直指向性が水平指向性よりも大幅にブロードであると言う考え方から、ＵＨＦ多素子アンテナをＶＨＦアンテナと共に水平方向に固定したまま使用していたので、ＵＨＦ多素子アンテナを山上に設置した地上波デジタルテレビ放送中継アンテナなど高所の電波発射源に精確に向けて設置できないという、これまた本質的かつ、大きな問題点が有る。
したがって、前記したすべての従来例では、極く近い将来、我国で始まる双方向送受信も可能な地上波デジタルテレビ放送電波など高所から到来する極超短波領域の放送電波を扱うためのＵＨＦ多素子アンテナの仰角設定取付け装置としては全く対処できないという本質的かつ、大きな問題点が有る。
【０００６】
この発明は、高所から到来する極超短波領域の地上波デジタルテレビ放送電波を少しでも良く受信するために、水平・垂直スタック接続した四本のＵＨＦ多素子アンテナを高所の電波発射源に向け四本纏めて仰角設定可能にすると共に、この仰角設定部分を分散配置することで、外力に強いＵＨＦ多素子アンテナの仰角設定取付け装置を安価に得ることを目的とする。
【０００７】
【課題を解決するための手段】
上記した本発明の目的は、ほぼ鉛直の支柱に平面ほぼＵ字状の上スティをその中央取着部で左右回動調節可能に取着し、この上スティの左右各先端部に四角い縦枠をその左右各ヒンジ部で起伏回動調節可能に取着すると共に、この縦枠の四隅付近にＵＨＦ多素子アンテナを取付ける一方、前記縦枠の下辺に通した締着バンドを下スティの上部に取着し、この下スティの下部を支柱に取着した締付けバンドに取着して前記各取着部分を緩めた各取着部の仮取着状態で前記縦枠を左右各ヒンジ部と前記上スティ取着部とをそれぞれ支点として縦横斜めに回動させることで、前記各アンテナを四本纏めて前記高所の電波発射源に向けて仰角設定した後、前記緩めた各取着部分をそれぞれ締着することで、上記各アンテナの設定済仰角を四本纏めて固定可能にしたことで達成できた。
【０００８】
【発明の実施の形態】
本発明の実施の形態のうち、先ず、本発明の基本的な形態例を説明する。
本発明の基本的な形態は、図１・図２のようにビルの屋上などにほぼ鉛直に立設した強靱で太い丸パイプ材で作った支柱１に導波器と反射器とを有するダイポールアンテナなど四本のＵＨＦ多素子アンテナＡを水平・垂直スタック接続して高所の電波発射源に向けて取付けるに当たり、前記支柱１の上部外周面に図１および図３のように強靱な枢着板１ＡをＵ字ボルトＵとナットＮとで左右回動調節可能に取着し、この枢着板１Ａに強靱な丸パイプ材を平面ほぼ偏平Ｕ字状に成形した上スティ２をその中央取着部２Ａの溶着部ｙで図１および図３のように強固に溶着して固定すると共に、この上スティ２の左右各先端部２Ｂ自体または、これら各先端部分を図４のように偏平に押し潰して二枚合わせにした重合先端部２Ｃに強靱な丸パイプ材をほぼ正方形輪郭に成形した縦枠３をその左右各ヒンジ部３ＡでボルトＢとナットＮとにより図１・図２のように起伏回動調節可能に取着する一方、この縦枠３の四隅付近にそれぞれ前記四本のアンテナＡを各基部ａで上記各図のように同一方向に向け一本ずつ横向きに固定し突設する。
【０００９】
また、前記縦枠３の下辺３Ｂの左右に図５のように通した二つの締着バンド４の張出し対向辺４Ａ間にそれぞれ縦枠下辺３Ｂを支えるための強靱な丸パイプ製の二本の下スティ５の上部５Ａを偏平に潰して挿入し、同図５のようにボルトＢとナットＮとでねじ止めすると共に上記各締着バンド４をそれぞれ縦枠下辺３Ｂに締着し、さらに、下スティ５の下部５Ｂも偏平に潰して二枚合わせとし、前記支柱１の下部に図６のように締付けボルト６で上下動可能に強固に固定したヒンジ付きの強靱な締付けバンド７のリング状膨出部７ＡにボルトＢとナットＮとで図１・図６のように平面ほぼＶ字状に強固に取着することで、本発明によるＵＨＦ多素子アンテナの仰角設定取付け装置を構成する。
【００１０】
ただし、前記ＵＨＦ多素子アンテナＡは、その長さ方向の中間部分で縦枠３の四隅付近に周知手段で取着してもよく、その素子数が少なくて済む場合には、一本の下スティ５だけで縦枠下辺３Ｂの中央を支えるようにしてもよく、また上スティ２の中央取着部２Ａは、前記枢着板１Ａに対して前記溶着部ｙを補強するため前述した図４のようにＵ字ボルトＵとナットＮとで強固にねじ止めしてもよく、この場合には、溶着部ｙを省略しても差し支えない。
さらに前記枢着板１Ａは、支柱１の上端に左右回動調節後固定可能に被せた有蓋筒体（周知のものでよいから図示せず）に強固に固着してもよく、また前記下スティ５の上部５Ａは潰さずに前記締着バンド４にねじ止め取着してもよい。
なお、図１および図２における符号Ｃで示す部分は、同軸ケーブルである。
【００１１】
本発明の構成は以上のようなもので、以下その使用例につき説明する。
先ず、前記各ナット類と二つのバンド４・７などを緩めて各取着部を仮取着状態とすれば、前記縦枠３を各アンテナＡと共にその左右各ヒンジ部３Ａと前記枢着板１Ａとをそれぞれ支点として図２の水平位置から前記下スティ５や締付けバンド７と共に図１のように縦横斜め方向に回動できるから、上記四本のアンテナＡで受信した水平偏波の到来電波を前記同軸ケーブルＣを経て周知の水平・垂直スタック混合接続手段を介し入力したテレビ受像機の画面映り具合が最良になるように確認しながら、各アンテナＡを四本纏めて同時に高所の電波発射源に向けその仰角と左右角とを精確に設定することができ、各アンテナの設定済仰角を上記テレビの映り具合を確認しながら保持した状態で、前記緩めたナット類と二つのバンド４・７とをそれぞれきつく締着し、上記緩めた各取着部分を強固に固定することで、前記高所の電波発射源に精確に向けた前記四本のＵＨＦ多素子アンテナＡの設定済仰角を四本纏めて図１のように強固かつ、安定に固定できた。
ただし、前記縦枠３の四隅に各アンテナＡをそれぞれ縦向きに取着すれば、垂直偏波の到来電波を各アンテナＡで受信でき、上記水平・垂直スタック混合接続手段を経てテレビ受像機に入力して視聴できる。
【００１２】
【実施例】
前記上スティ２を縦枠３と共に図７のように前記電波発射源の反対側に向けて支柱１に突設し、前記各アンテナＡの基部ａをそのまま、またはアンテナスティＡＳなどを介して電波発射源に向けて縦枠３の四隅付近に突設固定することで、支柱１を同図７のように前記四本のアンテナＡの中間空所内に配置でき、これら各アンテナＡを含めた取付け装置全体としての重心を支柱１の上部付近に集中させることで、四本のＵＨＦ多素子アンテナを含めた取付け装置全体としての重心を支柱１の上部付近に集中させ、全体的な重量バランスを均等化してもよい。
【００１３】
【発明の効果】
本発明は、以上のような形態を採用したので、以下に記載の効果を奏する。
この発明における請求項１の発明によれば、ほぼ鉛直に立設した支柱１に四本のＵＨＦ多素子アンテナＡを高所の電波発射源に向けて取付けるに当たり、支柱１の上部に平面ほぼＵ字状の上スティ２をその中央取着部２Ａで左右回動調節可能に取着し、この上スティ２の左右各先端部２Ｂに四角い縦枠３をその左右各ヒンジ部３Ａで起伏回動調節可能に取着すると共に、この縦枠３の四隅付近に前記各アンテナＡを一本ずつ取付ける一方、前記縦枠３の下辺３Ｂに通した締着バンド４を下スティ５の上部５Ａに取着し、この下スティ５の下部５Ｂを支柱１に取着した締付けバンド７に取着してＵＨＦ多素子アンテナの支柱取付け装置を構成したので、前記各取着部分を互いに大きく分散配置でき、大きな荷重や強いテコ応力にも対抗させ得た。
【００１４】
したがって、前記請求項１の発明によれば、肝心のアンテナ仰角を設定するに当たり、前記各取着部分を緩めた仮取着状態で前記縦枠３をその左右各ヒンジ部３Ａと前記枢着板１Ａとをそれぞれ支点として、前記下スティ５と締付けバンド７と共に縦横斜めに回動させながら前記各アンテナＡを四本纏めて高所の電波発射源に向け、その仰角と左右角とを極めて容易かつ、精確に設定することができ、この仰角設定後、前記緩めた各取着部分を強固に締着することで、前記各多素子アンテナＡの上記設定済仰角を四本纏めて同時に固定でき、この仰角固定状態は、前記大きな荷重やテコ応力にも強くなるよう互いに大きく分散配置した前記各取着部分で極めて安定に長期間維持できたという優れた効果が有る。
【００１５】
この発明における請求項２の発明によれば、前記諸効果に加えて、平面ほぼＵ字状の上スティ２をその中央取着部２Ａで強靱な枢着板１Ａに強固に固着し、この枢着板１Ａを前記支柱１の上部にＵ字ボルトＵと締付けナットＮとで上記上スティ２と共に左右回動調節可能に取着する一方、前記縦枠下辺３Ｂの左右に挿通した締着バンド４の各二つの張出し対向辺４Ａ間にそれぞれ縦枠下辺３Ｂを支える二本の強靱な下スティ５の上部５Ａを連結すると共に、締着バンド４を縦枠下辺３Ｂに締着し、各下スティ５の下部５Ｂを前記支柱１の下部に締付けボルト６で固定した締付けバンド７にボルトＢとナットＮとで平面ほぼＶ字状に取着したので、前記上スティ２の左右回動調節が前記枢着板１Ａを支点として容易に実現できると共に、前記二本の下スティ５と縦枠下辺３Ｂとの連結形態を幾何学的に外力変形しない三角形状に取着固定でき、より一層強固かつ、安定にＵＨＦ多素子アンテナの設定済仰角を固定できるという効果を付加できた。
【００１６】
この発明における請求項３の発明では、前記諸効果に加えて、前記上スティ２を縦枠３と共に前記電波発射源の反対側に向けて支柱１に突設し、前記各アンテナＡをそれぞれ電波発射源に向けて縦枠３の四隅付近に突設固定することで、支柱１を前記四本のアンテナＡの中間空所内に配置でき、これら各アンテナを含めた取付け装置全体としての重心を支柱１の上部付近に集中させることで、全体的な重量バランスを保持できるから、ＵＨＦ多素子アンテナＡの仰角固定状態を一層安定に確保できるという効果を付加できた。
【００１７】
この発明における請求項４の発明では、前記上スティ２をパイプ材で作り、その左右各先端部２Ｂを押し潰して二枚合わせの強靱な重合先端部２Ｃとなし、この重合先端部２Ｃに縦枠３をその左右各ヒンジ部３Ａ出起伏回動調節可能に枢着固定したので、丸パイプ同士の単なる点接触ねじ止めヒンジ枢着に比べ、外力に対するメカ的強度を大幅に増強できるという効果を付加できた。
【図面の簡単な説明】
【図１】本発明の実施形態例を示す斜視図
【図２】図１に示すものと状態を異にした斜視図
【図３】本発明における上スティの取着例を示す要部拡大斜視図
【図４】本発明における縦枠の取着例を示す要部切欠拡大平面図
【図５】本発明における下スティ上部の取着例を示す拡大側面図
【図６】本発明における下スティ下部の取着例を示す拡大斜視図
【図７】本発明の別の実施形態例を示す側面図
【符号の説明】
Ａ    ＵＨＦ多素子アンテナ
１    支柱
１Ａ  枢着板
２    上スティ
２Ａ  上スティの中央取着部
２Ｂ  上スティの左右各先端部
３    縦枠
３Ａ  縦枠の左右各ヒンジ部
３Ｂ  縦枠の下辺
４    締着バンド
４Ａ  締着バンドの張出し対向辺
５    下スティ
５Ａ  下スティの上部
５Ｂ  下スティの下部
６    締付けボルト
７    締付けバンド
Ｂ    ボルト
Ｎ    ナット
Ｕ    Ｕ字ボルト
ｙ    溶着部
【図１】
2005064602.tif 000003
【図２】
2005064602.tif 000004
【図３】
2005064602.tif 000005
【図４】
2005064602.tif 000006
【図５】
2005064602.tif 000007
【図６】
2005064602.tif 000008
【図７】
2005064602.tif 000009